(57)【要約】本発明は、送受信された電子情報のうち関連のある電子情報について、その関連を容易に把握させるための表示用のデータを生成し、表示するシステム、装置及び方法を提供する。本発明の３次元的時系列データ処理システム１は、一の電子情報を選択し、選択した選択電子情報に関連する電子情報を電子情報ＤＢ５１から抽出し、選択電子情報の送信元と、抽出した抽出電子情報の送信元との関連度を算出し、選択電子情報と、抽出電子情報との関係を３次元で描画するための３次元的時系列データを、送信元と送信時刻と関連度とを軸とする仮想３次元空間における、抽出電子情報それぞれの位置情報として生成する。さらに、３次元的時系列データ処理システム１は、電子情報の関連についての３次元的時系列データを円筒座標に描画し、ビューアングルを変更しながら表示する。
2013088812.tif 000002
【特許請求の範囲】
【請求項１】
コンテンツ情報を含み所定の通信媒体により送受信される電子情報であって、識別情報と、送信元を示す送信元情報と、送信先を示す送信先情報と、送信された時刻を示す送信時刻情報と、関連する他の電子情報の識別情報を含む関連情報と、を有する属性情報を含む電子情報を複数記憶する電子情報記憶部と、
前記電子情報記憶部に記憶された複数の電子情報のうち、一の電子情報を選択する選択部と、
前記選択部により選択された電子情報である選択電子情報に関連する電子情報を、前記電子情報記憶部に記憶された複数の電子情報から抽出する抽出部と、
前記選択電子情報の送信元情報により示される選択送信元と、前記抽出部２２により抽出された複数の電子情報の送信元情報により示される関連送信元との関連度を算出する関連度算出部と、
前記選択電子情報と、前記抽出部により抽出された抽出電子情報との関係を３次元で描画するための３次元的時系列データを生成する３次元データ生成部であって、前記送信元情報により示される送信元と、前記送信時刻情報により示される送信時刻と、前記関連度算出部２３によって算出される関連度と、を軸とする仮想３次元空間における、複数の前記抽出電子情報それぞれの位置情報を生成する３次元データ生成部と、
を備える３次元的時系列データ処理システム。
【請求項２】
前記３次元データ生成部によって生成された３次元的時系列データを描画する３次元描画部をさらに備え、
前記３次元描画部は、
所定の半径ｒの円筒座標（ｒ、θ、ｚ）のｚ軸を前記送信時刻情報により示される送信時刻とし、θを前記関連度とする円筒座標部と、
前記円筒座標部によって形成される円筒の表面に沿って、前記抽出電子情報のうち前記選択電子情報の前記送信元情報と同一の前記送信元情報を有する電子情報のコンテンツ情報を、ｚ軸の送信時刻順にθを０度として前記円筒の表面の中心に配置し、前記抽出電子情報のうち前記選択電子情報の前記送信元情報と異なる前記送信元情報を有する電子情報のコンテンツ情報を、ｚ軸の送信時刻順に、前記関連度の高さに応じて前記送信元情報ごとにθを変えて、前記円筒の表面に配置する円筒配置部と、
前記円筒配置部によって配置されたコンテンツ情報を、配置された前記円筒の表面の位置に応じて、前記コンテンツ情報を示す表示の形態を変えて表示する円筒表示部と、
を備える、請求項１に記載の３次元的時系列データ処理システム。
【請求項３】
前記３次元描画部は、前記円筒配置部によって配置された前記送信元情報ごとの前記コンテンツ情報のうち前記送信元情報を指定する指示を受け付ける回転受付部と、
前記回転受付部によって受け付けられた指示により指定された前記送信元情報と同一の前記送信元情報を有する電子情報のコンテンツ情報を、前記円筒の表面の中心とし、当該指定された前記送信元情報と異なる前記送信元情報を有する電子情報のコンテンツ情報を、当該指定された前記送信元情報のコンテンツ情報を前記円筒の表面の中心に配置したことに応じて前記円筒の表面に沿って移動させて配置する回転移動部と、
をさらに備える請求項２に記載の３次元的時系列データ処理システム。
【請求項４】
前記３次元的時系列データを３次元的に描画するためのルールが規定された描画ルールを記憶する描画ルール記憶部をさらに備え、
前記３次元描画部は、前記描画ルール記憶部に記憶された前記描画ルールに基づいて描画する、
請求項２又は３に記載の３次元的時系列データ処理システム。
【請求項５】
前記電子情報は、電子メールであり、前記関連情報は、受信した電子メールについて返信した場合に記録される返信情報であり、
前記抽出部は、
前記選択電子情報の関連情報に含まれる識別情報により識別される電子情報を抽出し、当該抽出した電子情報の関連情報に含まれる識別情報により識別される電子情報をもさらに抽出する関連元抽出部と、
前記選択電子情報の識別情報を関連情報に含む電子情報を抽出し、当該抽出した電子情報の識別情報を関連情報に含む電子情報をもさらに抽出する関連先抽出部と、
を備える請求項１から４のいずれか１項に記載の３次元的時系列データ処理システム。
【請求項６】
コンテンツ情報を含み所定の通信媒体により送受信される電子情報であって、識別情報と、送信元を示す送信元情報と、送信先を示す送信先情報と、送信された時刻を示す送信時刻情報と、関連する他の電子情報の識別情報を含む関連情報と、を有する属性情報を含む電子情報を複数記憶する電子情報記憶部を有する電子情報サーバに、通信可能に接続されて前記電子情報サーバを介して前記電子情報記憶部から前記電子情報を抽出し、３次元的時系列データを生成する３次元的時系列データ処理装置であって、
前記電子情報記憶部に記憶された複数の電子情報のうち、一の電子情報を選択する選択部と、
前記選択部により選択された電子情報である選択電子情報に関連する電子情報を、前記電子情報記憶部に記憶された複数の電子情報から抽出する抽出部と、
前記選択電子情報の送信元情報により示される選択送信元と、前記抽出部により抽出された複数の電子情報の送信元情報により示される関連送信元との関連度を算出する関連度算出部と、
前記選択電子情報と、前記抽出部２２により抽出された抽出電子情報との関係を３次元で描画するための３次元的時系列データを生成する３次元データ生成部であって、
送信元情報により示される送信元と、送信時刻情報により示される送信時刻と、前記関連度算出部によって算出される関連度と、を軸とする仮想３次元空間における、複数の前記抽出電子情報それぞれの位置情報を生成する３次元データ生成部と、
を備える３次元的時系列データ処理装置。
【請求項７】
コンテンツ情報を含み所定の通信媒体により送受信される電子情報であって、識別情報と、送信元を示す送信元情報と、送信先を示す送信先情報と、送信された時刻を示す送信時刻情報と、関連する他の電子情報の識別情報を含む関連情報と、を有する属性情報を含む電子情報を複数記憶する電子情報記憶部と、
前記電子情報記憶部に記憶された複数の電子情報のうち、一の電子情報を選択する選択部と、
前記選択部により選択された電子情報である選択電子情報に関連する電子情報を、前記電子情報記憶部に記憶された複数の電子情報から抽出する抽出部と、
前記選択電子情報の送信元情報により示される選択送信元と、前記抽出部により抽出された複数の電子情報の送信元情報により示される関連送信元との関連度を算出する関連度算出部と、
前記選択電子情報と、前記抽出部により抽出された抽出電子情報との関係を３次元で描画するための３次元的時系列データを生成する３次元データ生成部であって、
送信元情報により示される送信元と、送信時刻情報により示される送信時刻と、前記関連度算出部によって算出される関連度と、を軸とする仮想３次元空間における、複数の前記抽出電子情報それぞれの位置情報を生成する３次元データ生成部と、
を備える３次元的時系列データ処理装置。
【請求項８】
コンテンツ情報を含み所定の通信媒体により送受信される電子情報であって、識別情報と、送信元を示す送信元情報と、送信先を示す送信先情報と、送信された時刻を示す送信時刻情報と、関連する他の電子情報の識別情報を含む関連情報と、を有する属性情報を含む電子情報を複数記憶する電子情報記憶部を有し、ユーザ端末に表示させるためのデータを送信する３次元的時系列データ処理サーバであって、
前記電子情報記憶部に記憶された複数の電子情報のうち、一の電子情報を選択する選択部と、
前記選択部により選択された電子情報である選択電子情報に関連する電子情報を、前記電子情報記憶部に記憶された複数の電子情報から抽出する抽出部と、
前記選択電子情報の送信元情報により示される選択送信元と、前記抽出部により抽出された複数の電子情報の送信元情報により示される関連送信元との関連度を算出する関連度算出部と、
前記選択電子情報と、前記抽出部により抽出された抽出電子情報との関係を３次元で描画するための３次元的時系列データを生成する３次元データ生成部であって、
送信元情報により示される送信元と、送信時刻情報により示される送信時刻と、前記関連度算出部によって算出される関連度と、を軸とする仮想３次元空間における、複数の前記抽出電子情報それぞれの位置情報を生成する３次元データ生成部と、
を備える３次元的時系列データ処理サーバ。
【請求項９】
コンテンツ情報を含み所定の通信媒体により送受信される電子情報であって、識別情報と、送信元を示す送信元情報と、送信先を示す送信先情報と、送信された時刻を示す送信時刻情報と、関連する他の電子情報の識別情報を含む関連情報と、を有する属性情報を含む電子情報を複数記憶する電子情報記憶部を有するシステムが実行する３次元的時系列データ処理方法であって、
前記電子情報記憶部に記憶された複数の電子情報のうち、一の電子情報を選択する選択ステップと、
前記選択ステップにより選択された電子情報である選択電子情報に関連する電子情報を、前記電子情報記憶部に記憶された複数の電子情報から抽出する抽出ステップと、
前記選択電子情報の送信元情報により示される選択送信元と、前記抽出ステップにより抽出された複数の電子情報の送信元情報により示される関連送信元との関連度を算出する関連度算出ステップと、
前記選択電子情報と、前記抽出ステップにより抽出された抽出電子情報との関係を３次元で描画するための３次元的時系列データを生成する３次元データ生成ステップであって、前記送信元情報により示される送信元と、前記送信時刻情報により示される送信時刻と、前記関連度算出ステップによって算出される関連度と、を軸とする仮想３次元空間における、複数の前記抽出電子情報それぞれの位置情報を生成する３次元データ生成ステップと、
を備える方法。
【請求項１０】
コンテンツ情報を含み所定の通信媒体により送受信される電子情報であって、識別情報と、送信元を示す送信元情報と、送信先を示す送信先情報と、送信された時刻を示す送信時刻情報と、関連する他の電子情報の識別情報を含む関連情報と、を有する属性情報を含む電子情報を複数記憶する電子情報記憶部を有するコンピュータに、
前記電子情報記憶部に記憶された複数の電子情報のうち、一の電子情報を選択する選択ステップと、
前記選択ステップにより選択された電子情報である選択電子情報に関連する電子情報を、前記電子情報記憶部に記憶された複数の電子情報から抽出する抽出ステップと、
前記選択電子情報の送信元情報により示される選択送信元と、前記抽出ステップにより抽出された複数の電子情報の送信元情報により示される関連送信元との関連度を算出する関連度算出ステップと、
前記選択電子情報と、前記抽出ステップにより抽出された抽出電子情報との関係を３次元で描画するための３次元的時系列データを生成する３次元データ生成ステップであって、前記送信元情報により示される送信元と、前記送信時刻情報により示される送信時刻と、前記関連度算出ステップによって算出される関連度と、を軸とする仮想３次元空間における、複数の前記抽出電子情報それぞれの位置情報を生成する３次元データ生成ステップと、
を実行させる３次元的時系列データ処理プログラム。
【発明の詳細な説明】
【技術分野】
【０００１】
本発明は、３次元的時系列にデータを処理するシステム、装置及び方法に関する。
【背景技術】
【０００２】
従来、通信（例えば、インターネット通信）で情報の交換（例えば、電子メール）を行う場合、交換する情報を管理する通信管理ツールが、送受信される情報を整理、管理し、閲覧できるようにしている。【０００３】
例えば、電子メールを管理するある電子メール管理ツールは、１つの電子メールが閲覧されると、その電子メールに関連する全ての電子メールを時系列にインデントをつけて表示する。また、電子メール管理ツールは、１つ前のメール（返信元のメール）への文書リンクを保存しており、リンクをたどることができる。
また、例えば、別の電子メール管理ツールは、１つの電子メールが閲覧されると、その電子メールに関連する全てのメールをカスケード表示する。この処理は、「スレッド・ビュー」と呼ばれ、最新のメールを常に手前に表示する。【０００４】
このような電子メール管理ツールによれば、関連するメールが１つのスレッドに表示されるが、誰が誰に送った電子メールか、送った電子メールの内容は何かについて、一目では判断できない。また、関連する電子メールの時間関係も、スレッドが異なると一目では把握できない。【０００５】
このような電子メールについて、電子メールの履歴や添付ファイルの履歴を容易に確認できる電子メール処理装置を開示する特許文献１が知られている。この電子メール処理装置は、蓄積された電子メールの履歴データに基づいて、電子メールの対応関係をツリー構造で表示する。また、この電子メール処理装置は、電子メールに添付ファイルが添付されている場合には、添付ファイルをツリー構造で表示する。【０００６】
また、関連するメッセージを簡単に確認できるようにするメッセージ表示システムを開示する特許文献２が知られている。このシステムのメッセージ表示端末は、例えば、一連のメッセージを、ｘ軸方向にメッセージを表示し、ｙ軸方向にメッセージを時間的な順序で配置し、ｚ軸方向にスレッドの種類を採用してスレッドごとのメッセージを３次元的に表示する。【０００７】
さらに、複数のコンテンツ情報データの更新情報を容易に確認できるようにする情報提示方法を開示する特許文献３が知られている。この情報提示方法は、コンテンツ情報データに対応付けられた更新情報表示カードを、コンテンツ情報データの更新の時系列順に配列して表示する。
【先行技術文献】
【特許文献】
【０００８】
【特許文献１】特開２００８−５２５２１号公報
【特許文献２】特開２０１０−１４６４６５号公報
【特許文献３】特開２０１１−２２８１１号公報
【発明の概要】
【発明が解決しようとする課題】
【０００９】
しかしながら、上述の特許文献で開示された技術を利用しても、送受信される電子情報（例えば、電子メール）の転送や返信が繰り返されると、情報の関連性が複雑にからみ、送受信した情報の流れを把握することが、困難になる。【００１０】
そこで、送受信された電子情報について、受信ボックス内の関連する電子情報を検索し、それらの電子情報の送受信時刻や、電子情報の送受信関係、電子情報の内容を抽出し、一連の電子情報を容易に閲覧、検索しながら内容を把握できるようにする技術が求められている。【００１１】
本発明は、送受信された電子情報のうち関連のある電子情報について、その関連を容易に把握させるための表示用のデータを生成するシステム、装置及び方法を提供することを目的とする。さらに、本発明は、送受信された電子情報のうち関連のある電子情報について、その関連を容易に把握させるために表示し、関連するメールの視認性を上げることができるシステム、装置及び方法を提供することを目的とする。
【課題を解決するための手段】
【００１２】
本発明は、上記課題に鑑み、以下のような解決部を提供する。【００１３】
（１）  コンテンツ情報を含み所定の通信媒体により送受信される電子情報であって、識別情報と、送信元を示す送信元情報と、送信先を示す送信先情報と、送信された時刻を示す送信時刻情報と、関連する他の電子情報の識別情報を含む関連情報と、を有する属性情報を含む電子情報を複数記憶する電子情報記憶部と、前記電子情報記憶部に記憶された複数の電子情報のうち、一の電子情報を選択する選択部と、前記選択部により選択された電子情報である選択電子情報に関連する電子情報を、前記電子情報記憶部に記憶された複数の電子情報から抽出する抽出部と、前記選択電子情報の送信元情報により示される選択送信元と、前記抽出部により抽出された複数の電子情報の送信元情報により示される関連送信元との関連度を算出する関連度算出部と、前記選択電子情報と、前記抽出部により抽出された抽出電子情報との関係を３次元で描画するための３次元的時系列データを生成する３次元データ生成部であって、前記送信元情報により示される送信元と、前記送信時刻情報により示される送信時刻と、前記関連度算出部によって算出される関連度と、を軸とする仮想３次元空間における、複数の前記抽出電子情報それぞれの位置情報を生成する３次元データ生成部と、を備える３次元的時系列データ処理システム。【００１４】
（１）の構成によれば、３次元的時系列データ処理システムは、一の電子情報を選択し、選択した選択電子情報に関連する電子情報を電子情報記憶部から抽出し、選択電子情報の送信元と、抽出した抽出電子情報の送信元との関連度を算出し、選択電子情報と、抽出電子情報との関係を３次元で描画するための３次元的時系列データを、送信元と送信時刻と関連度とを軸とする仮想３次元空間における、抽出電子情報それぞれの位置情報として生成する。【００１５】
すなわち、本発明に係る３次元的時系列データ処理システムは、関連のある複数の電子情報を仮想３次元空間内に位置付けることができる３次元的時系列データを、生成する。したがって、３次元的時系列データ処理システムは、送受信された電子情報のうち関連のある電子情報について、その関連を容易に把握させるための表示用のデータを作成することができる。【００１６】
（２）  前記３次元データ生成部によって生成された３次元的時系列データを描画する３次元描画部をさらに備え、前記３次元描画部は、所定の半径ｒの円筒座標（ｒ、θ、ｚ）のｚ軸を前記送信時刻情報により示される送信時刻とし、θを前記関連度とする円筒座標部と、前記円筒座標部によって形成される円筒の表面に沿って、前記抽出電子情報のうち前記選択電子情報の前記送信元情報と同一の前記送信元情報を有する電子情報のコンテンツ情報を、ｚ軸の送信時刻順にθを０度として前記円筒の表面の中心に配置し、前記抽出電子情報のうち前記選択電子情報の前記送信元情報と異なる前記送信元情報を有する電子情報のコンテンツ情報を、ｚ軸の送信時刻順に、前記関連度の高さに応じて前記送信元情報ごとにθを変えて、前記円筒の表面に配置する円筒配置部と、前記円筒配置部によって配置されたコンテンツ情報を、配置された前記円筒の表面の位置に応じて、前記コンテンツ情報を示す表示の形態を変えて表示する円筒表示部と、を備える、（１）に記載の３次元的時系列データ処理システム。【００１７】
（２）の構成によれば、（１）に記載の３次元的時系列データ処理システムは、電子情報の関連についての３次元的時系列データを円筒座標に描画する。したがって、３次元的時系列データ処理システムは、送受信された電子情報のうち関連のある電子情報について、その関連を容易に把握させるために表示し、関連するメールの視認性を上げることができる。【００１８】
（３）  前記３次元描画部は、前記円筒配置部によって配置された前記送信元情報ごとの前記コンテンツ情報のうち前記送信元情報を指定する指示を受け付ける回転受付部と、前記回転受付部によって受け付けられた指示により指定された前記送信元情報と同一の前記送信元情報を有する電子情報のコンテンツ情報を、前記円筒の表面の中心とし、当該指定された前記送信元情報と異なる前記送信元情報を有する電子情報のコンテンツ情報を、当該指定された前記送信元情報のコンテンツ情報を前記円筒の表面の中心に配置したことに応じて前記円筒の表面に沿って移動させて配置する回転移動部と、をさらに備える（２）に記載の３次元的時系列データ処理システム。【００１９】
（３）の構成によれば、（２）に記載の３次元的時系列データ処理システムは、円筒座標に描画した電子情報の関連を、ビューアングルを変更しながら表示する。したがって、３次元的時系列データ処理システムは、送受信された電子情報のうち関連のある電子情報について、その関連を容易に把握させるために表示し、関連するメールの視認性をさらに上げることができる。【００２０】
（４）  前記３次元的時系列データを３次元的に描画するためのルールが規定された描画ルールを記憶する描画ルール記憶部をさらに備え、前記３次元描画部は、前記描画ルール記憶部に記憶された前記描画ルールに基づいて描画する、（２）又は（３）に記載の３次元的時系列データ処理システム。【００２１】
したがって、３次元的時系列データ処理システムは、送受信された電子情報のうち関連のある電子情報について、その関連を容易に把握させるために表示し、描画ルールによって関連するメールの視認性をさらに上げることができる。【００２２】
（５）  前記電子情報は、電子メールであり、前記関連情報は、受信した電子メールについて返信した場合に記録される返信情報であり、前記抽出部は、前記選択電子情報の関連情報に含まれる識別情報により識別される電子情報を抽出し、当該抽出した電子情報の関連情報に含まれる識別情報により識別される電子情報をもさらに抽出する関連元抽出部と、前記選択電子情報の識別情報を関連情報に含む電子情報を抽出し、当該抽出した電子情報の識別情報を関連情報に含む電子情報をもさらに抽出する関連先抽出部と、を備える（１）から（４）のいずれか１に記載の３次元的時系列データ処理システム。【００２３】
したがって、３次元的時系列データ処理システムは、送受信された電子情報のうち関連のある電子情報を確実に抽出し、その関連を容易に把握させるために表示することができる。【００２４】
（６）  コンテンツ情報を含み所定の通信媒体により送受信される電子情報であって、識別情報と、送信元を示す送信元情報と、送信先を示す送信先情報と、送信された時刻を示す送信時刻情報と、関連する他の電子情報の識別情報を含む関連情報と、を有する属性情報を含む電子情報を複数記憶する電子情報記憶部を有する電子情報サーバに、通信可能に接続されて前記電子情報サーバを介して前記電子情報記憶部から前記電子情報を抽出し、３次元的時系列データを生成する３次元的時系列データ処理装置であって、前記電子情報記憶部に記憶された複数の電子情報のうち、一の電子情報を選択する選択部と、前記選択部により選択された電子情報である選択電子情報に関連する電子情報を、前記電子情報記憶部に記憶された複数の電子情報から抽出する抽出部と、前記選択電子情報の送信元情報により示される選択送信元と、前記抽出部により抽出された複数の電子情報の送信元情報により示される関連送信元との関連度を算出する関連度算出部と、前記選択電子情報と、前記抽出部により抽出された抽出電子情報との関係を３次元で描画するための３次元的時系列データを生成する３次元データ生成部であって、送信元情報により示される送信元と、送信時刻情報により示される送信時刻と、前記関連度算出部によって算出される関連度と、を軸とする仮想３次元空間における、複数の前記抽出電子情報それぞれの位置情報を生成する３次元データ生成部と、を備える３次元的時系列データ処理装置。【００２５】
したがって、３次元的時系列データ処理装置は、（１）と同様の効果を奏することができる。【００２６】
（７）  コンテンツ情報を含み所定の通信媒体により送受信される電子情報であって、識別情報と、送信元を示す送信元情報と、送信先を示す送信先情報と、送信された時刻を示す送信時刻情報と、関連する他の電子情報の識別情報を含む関連情報と、を有する属性情報を含む電子情報を複数記憶する電子情報記憶部と、前記電子情報記憶部に記憶された複数の電子情報のうち、一の電子情報を選択する選択部と、前記選択部により選択された電子情報である選択電子情報に関連する電子情報を、前記電子情報記憶部に記憶された複数の電子情報から抽出する抽出部と、前記選択電子情報の送信元情報により示される選択送信元と、前記抽出部により抽出された複数の電子情報の送信元情報により示される関連送信元との関連度を算出する関連度算出部と、前記選択電子情報と、前記抽出部により抽出された抽出電子情報との関係を３次元で描画するための３次元的時系列データを生成する３次元データ生成部であって、送信元情報により示される送信元と、送信時刻情報により示される送信時刻と、前記関連度算出部によって算出される関連度と、を軸とする仮想３次元空間における、複数の前記抽出電子情報それぞれの位置情報を生成する３次元データ生成部と、を備える３次元的時系列データ処理装置。【００２７】
したがって、電子情報記憶部を備える３次元的時系列データ処理装置は、（１）と同様の効果を奏することができる。【００２８】
（８）  コンテンツ情報を含み所定の通信媒体により送受信される電子情報であって、識別情報と、送信元を示す送信元情報と、送信先を示す送信先情報と、送信された時刻を示す送信時刻情報と、関連する他の電子情報の識別情報を含む関連情報と、を有する属性情報を含む電子情報を複数記憶する電子情報記憶部を有し、ユーザ端末に表示させるためにデータを送信する３次元的時系列データ処理サーバであって、前記電子情報記憶部に記憶された複数の電子情報のうち、一の電子情報を選択する選択部と、前記選択部により選択された電子情報である選択電子情報に関連する電子情報を、前記電子情報記憶部に記憶された複数の電子情報から抽出する抽出部と、前記選択電子情報の送信元情報により示される選択送信元と、前記抽出部により抽出された複数の電子情報の送信元情報により示される関連送信元との関連度を算出する関連度算出部と、前記選択電子情報と、前記抽出部により抽出された抽出電子情報との関係を３次元で描画するための３次元的時系列データを生成する３次元データ生成部であって、送信元情報により示される送信元と、送信時刻情報により示される送信時刻と、前記関連度算出部によって算出される関連度と、を軸とする仮想３次元空間における、複数の前記抽出電子情報それぞれの位置情報を生成する３次元データ生成部と、を備える３次元的時系列データ処理サーバ。【００２９】
したがって、３次元的時系列データ処理サーバは、生成した３次元的時系列データをユーザ端末に送信して表示させることにより、（１）と同様の効果を奏することができる。【００３０】
（９）  コンテンツ情報を含み所定の通信媒体により送受信される電子情報であって、識別情報と、送信元を示す送信元情報と、送信先を示す送信先情報と、送信された時刻を示す送信時刻情報と、関連する他の電子情報の識別情報を含む関連情報と、を有する属性情報を含む電子情報を複数記憶する電子情報記憶部を有するシステムが実行する３次元的時系列データ処理方法であって、前記電子情報記憶部に記憶された複数の電子情報のうち、一の電子情報を選択する選択ステップと、前記選択ステップにより選択された電子情報である選択電子情報に関連する電子情報を、前記電子情報記憶部に記憶された複数の電子情報から抽出する抽出ステップと、前記選択電子情報の送信元情報により示される選択送信元と、前記抽出ステップにより抽出された複数の電子情報の送信元情報により示される関連送信元との関連度を算出する関連度算出ステップと、前記選択電子情報と、前記抽出ステップにより抽出された抽出電子情報との関係を３次元で描画するための３次元的時系列データを生成する３次元データ生成ステップであって、前記送信元情報により示される送信元と、前記送信時刻情報により示される送信時刻と、前記関連度算出ステップによって算出される関連度と、を軸とする仮想３次元空間における、複数の前記抽出電子情報それぞれの位置情報を生成する３次元データ生成ステップと、を備える方法。【００３１】
したがって、３次元的時系列データ処理方法は、（１）と同様の効果を奏することができる。【００３２】
（１０）  コンテンツ情報を含み所定の通信媒体により送受信される電子情報であって、識別情報と、送信元を示す送信元情報と、送信先を示す送信先情報と、送信された時刻を示す送信時刻情報と、関連する他の電子情報の識別情報を含む関連情報と、を有する属性情報を含む電子情報を複数記憶する電子情報記憶部を有するコンピュータに、前記電子情報記憶部に記憶された複数の電子情報のうち、一の電子情報を選択する選択ステップと、前記選択ステップにより選択された電子情報である選択電子情報に関連する電子情報を、前記電子情報記憶部に記憶された複数の電子情報から抽出する抽出ステップと、前記選択電子情報の送信元情報により示される選択送信元と、前記抽出ステップにより抽出された複数の電子情報の送信元情報により示される関連送信元との関連度を算出する関連度算出ステップと、前記選択電子情報と、前記抽出ステップにより抽出された抽出電子情報との関係を３次元で描画するための３次元的時系列データを生成する３次元データ生成ステップであって、前記送信元情報により示される送信元と、前記送信時刻情報により示される送信時刻と、前記関連度算出ステップによって算出される関連度と、を軸とする仮想３次元空間における、複数の前記抽出電子情報それぞれの位置情報を生成する３次元データ生成ステップと、を実行させる３次元的時系列データ処理プログラム。【００３３】
したがって、３次元的時系列データ処理プログラムは、コンピュータに実行させて、（１）と同様の効果を奏することができる。
【発明の効果】
【００３４】
本発明によれば、送受信された電子情報のうち関連のある電子情報について、その関連を容易に把握させるための表示用のデータを生成することができる。さらに、本発明によれば、送受信された電子情報のうち関連のある電子情報について、その関連を容易に把握させるために表示することができ、関連するメールの視認性を上げることができる。
【図面の簡単な説明】
【００３５】
【図１】本発明の概要を示す図である。
【図２】本発明の一実施形態に係る３次元的時系列データ処理システムの機能構成を示す機能ブロック図である。
【図３】本発明の一実施形態に係る３次元的時系列データ処理装置の機能構成を示す機能ブロック図である。
【図４】本発明の一実施形態に係る電子情報ＤＢとしての電子メールＤＢの例を示す図である。
【図５】本発明の一実施形態に係る３次元的時系列データ処理装置の関連度ＤＢの例を示す図である。
【図６】本発明の一実施形態に係る３次元的時系列データ処理装置の処理内容を示すフローチャートである。
【図７】本発明の一実施形態に係る３次元的時系列データ処理装置の円筒座標へのコンテンツ情報の配置の例を示す図である。
【図８】本発明の一実施形態に係る３次元的時系列データ処理装置の円筒座標へのコンテンツ情報の表示の例を示す図である。
【図９】本発明の一実施形態に係る３次元的時系列データ処理装置の円筒座標の表示の例を示す図である。
【図１０】本発明の一実施形態に係る３次元的時系列データ処理装置のハードウェア構成を示す図である。
【図１１】本発明の別の実施形態に係る３次元的時系列データ処理装置の例を示す図である。
【発明を実施するための形態】
【００３６】
以下、本発明の実施形態について図を参照しながら説明する。本発明について、電子情報として電子メールの場合を例として説明をする。電子情報の例は、電子メールに限らず、同様のデータ構造を備えている、例えば、掲示板データや、アンケート等を伴う配信コンテンツ等であってもよい。
【００３７】
図１は、本発明の概要を示す図である。図１（ａ）は、３次元的時系列データ処理システム１が生成した３次元的時系列データに基づいて、電子情報を仮想的に表示していることを示している。図１（ｂ）は、属性情報とコンテンツ情報とを含む電子情報を記憶する電子情報記憶部を示している。
【００３８】
図１（ａ）は、３次元的時系列データ処理システム１によって生成された３次元的時系列データに基づいて、送受信された電子情報の関連性が容易に把握できるように表示されていることを示している。３次元的時系列データ処理システム１は、選択された電子情報Ｊ１に関連する電子情報Ｊ２及び電子情報Ｊ３を電子情報記憶部から抽出し、選択された電子情報Ｊ１の送信元Ａと、抽出した電子情報Ｊ２及び電子情報Ｊ３の送信元Ｂ及び送信元Ｃとの関連度を算出し、送信元と送信時刻と関連度とを軸とする仮想３次元空間における、電子情報Ｊ１、電子情報Ｊ２及び電子情報Ｊ３の位置情報である３次元的時系列データを生成している。例えば、送信元Ａと送信元Ｂとの関連度は、送信元Ｂから送信元Ａへの返信が送信元Ｃから送信元Ａへの返信よりも早いので、送信元Ａと送信元Ｃとの関連度よりも高い。この３次元的時系列データに基づいて、例えば、送信元Ｃの電子情報は、送信元Ａと送信元Ｂとの位置関係よりも離れた位置関係で、かつ小さく表示される。
【００３９】
図２は、本発明の一実施形態に係る３次元的時系列データ処理システム１の機能構成を示す機能ブロック図である。
３次元的時系列データ処理システム１は、電子情報ＤＢ（データベース）５１と３次元的時系列データ処理装置１０とを備え、３次元的時系列データ処理装置１０は、選択部２１と、抽出部２２と、関連度算出部２３と、３次元データ生成部２４とを備えている。以下各部について詳述する。
【００４０】
電子情報ＤＢ５１は、所定の通信媒体（例えば、インターネット等）により送受信される電子情報を複数記憶している。電子情報は、コンテンツ情報と属性情報とを含み、属性情報は、電子情報の識別情報と、送信元を示す送信元情報と、送信先を示す送信先情報と、送信された時刻を示す送信時刻情報と、関連する他の電子情報の識別情報を含む関連情報とを含む。
電子情報として電子メールを例にすると、電子メールは属性情報としてのヘッダ部とコンテンツ情報としてのメッセージ部とを含む。ヘッダ部は、電子メールＩＤと、送信元と、送信先と、送信時刻と、返信した場合に返信元の電子メールＩＤを含む。
電子情報ＤＢ５１は、例えば、送信元用の送信ボックス及び受信ボックス、のように送信元情報で示される送信元ごとに電子情報を記憶していてもよい。
【００４１】
選択部２１は、電子情報ＤＢ５１に記憶された複数の電子情報のうち、一の電子情報を選択する。具体的には、選択部２１は、入力装置（例えば、マウスやキーボード等）から、一の電子情報を指定されて、指定された電子情報を選択する。また、選択部２１は、設定されている情報（例えば、キーワード）に基づいて、自動的に選択する（メッセージ中にキーワードを含む電子メールを選択する）としてもよい。
【００４２】
抽出部２２は、選択部２１により選択された電子情報である選択電子情報に関連する電子情報を、電子情報ＤＢ５１に記憶された複数の電子情報から抽出する。
具体的には、電子メールにおいて、抽出部２２は、電子メールの返信情報に基づいて、関連する電子メールを抽出する。電子メールの返信情報は、返信元の電子メールＩＤを記憶している。
【００４３】
抽出部２２は、関連元抽出部２２２と、関連先抽出部２２１とをさらに備える。関連元抽出部２２２は、選択電子情報の関連情報に含まれる識別情報により識別される電子情報を抽出し、当該抽出した電子情報の関連情報に含まれる識別情報により識別される電子情報をもさらに抽出する。関連先抽出部２２１は、選択電子情報の識別情報を関連情報に含む電子情報を抽出し、当該抽出した電子情報の識別情報を関連情報に含む電子情報をもさらに抽出する。抽出部２２は、例えば、電子メールの返信情報をたどって、関連先抽出部２２１により返信メールの返信メールや、関連元抽出部２２２により返信元メールの返信元メールを抽出する。抽出は、抽出される対象が存在しない状態になるまで行われるが、例えば、関連情報をたどる回数が所定の回数になると抽出を終了するとしてもよいし、抽出する時間が所定の時間を越えると抽出を終了するとしてもよい。
【００４４】
関連度算出部２３は、選択電子情報の送信元情報により示される選択送信元と、抽出部２２により抽出された複数の電子情報の送信元情報により示される関連送信元との関連度を算出する。具体的には、関連度算出部２３は、抽出した電子メールにおける返信情報や送信時刻に基づいて、例えば、返信の回数や、返信時間（送信メールの送信時刻と返信メールの送信時刻との時間差）をポイント化して送信元ごとに点数を算出し、関連度ＤＢ３１に記憶させる。なお、返信メールの送信時刻は、受信時刻でもよい。そして、関連度算出部２３は、算出した点数の総和に対する送信元ごとの点数の度合いを算出し、関連度とする。また、関連度算出部２３は、算出した送信元ごとの点数により順位を求め、求めた順位に従って関連度を算出するとしてもよい。
【００４５】
３次元データ生成部２４は、選択電子情報と、抽出部２２により抽出された抽出電子情報との関係を３次元で描画するための３次元的時系列データを生成する。具体的には、３次元データ生成部２４は、電子情報に３次元データ（送信元、関連度、送信時刻）を対応付け、仮想３次元空間における位置情報とし、３次元データＤＢ３３に記憶させる。このように、３次元データ生成部２４は、表示処理が電子情報を３次元空間に対応付けて表示できるような３次元的時系列データを生成することができる。
【００４６】
図３は、本発明の一実施形態に係る３次元的時系列データ処理装置１０の機能構成を示す機能ブロック図である。３次元的時系列データ処理装置１０は、上述の選択部２１と、抽出部２２と、関連度算出部２３と、３次元データ生成部２４とに加え、３次元描画部２５と、描画ルールＤＢ３２とをさらに備える。以下、３次元描画部２５について詳述する。
【００４７】
３次元描画部２５は、３次元データ生成部２４によって生成された３次元的時系列データを描画する。３次元描画部２５は、円筒座標部２５１と、円筒配置部２５２と、円筒表示部２５３と、回転受付部２５４と、回転移動部２５５とをさらに備える。以下、各部について詳述する。
【００４８】
円筒座標部２５１は、所定の半径ｒの円筒座標（ｒ、θ、ｚ）のｚ軸を送信時刻情報により示される送信時刻とし、θを関連度とする。
【００４９】
円筒配置部２５２は、円筒座標部２５１によって形成される円筒の表面に沿って、抽出電子情報のうち選択電子情報の送信元情報と同一の送信元情報を有する電子情報のコンテンツ情報を、ｚ軸の送信時刻順にθを０度として円筒の表面の中心に配置し、抽出電子情報のうち選択電子情報の送信元情報と異なる送信元情報を有する電子情報のコンテンツ情報を、ｚ軸の送信時刻順に、関連度の高さに応じて送信元情報ごとにθを変えて、円筒の表面に配置する。
【００５０】
円筒表示部２５３は、円筒配置部２５２によって配置されたコンテンツ情報を、配置された円筒の表面の位置に応じて、コンテンツ情報を示す表示の形態を変えて表示する。具体的には、円筒表示部２５３は、例えば、円筒の表面の前面に配置した関連度の高いコンテンツ情報を大きくはっきりと表示し、円筒の表面の裏面に配置したコンテンツ情報を前面から離れるに従って薄く小さく表示する。
【００５１】
回転受付部２５４は、円筒配置部２５２によって配置された送信元情報ごとのコンテンツ情報のうち送信元情報を指定する指示を受け付ける。
【００５２】
回転移動部２５５は、回転受付部２５４によって受け付けられた指示により指定された送信元情報と同一の送信元情報を有する電子情報のコンテンツ情報を、円筒の表面の中心とし、当該指定された送信元情報と異なる送信元情報を有する電子情報のコンテンツ情報を、当該指定された送信元情報のコンテンツ情報を円筒の表面の中心に配置したことに応じて円筒の表面に沿って移動させて配置する。
【００５３】
描画ルールＤＢ３２は、３次元的時系列データを３次元的に描画するためのルールが規定された描画ルールを記憶する。３次元描画部２５は、描画ルールＤＢ３２に記憶された描画ルールに基づいて、表示装置２０２２に描画する。具体的には、描画ルールＤＢ３２は、コンテンツ情報を描画する場合、座標軸の要素との対応付け（例えば、データ上の１単位と描画上の１目盛りとの対応付け）、送信元の並び順、色、形、関連度に基づく大きさ、色、輝度等を記憶している。
【００５４】
図４は、本発明の一実施形態に係る電子情報ＤＢ５１としての電子メールＤＢ６１の例を示す図である。ヘッダ部の「Ｔｏ」は送信先を示し、「Ｆｒｏｍ」は送信元を示し、「Ｃｃ」は電子メールのコピーが送信される送信先を示し、「Ｔｉｍｅ」は送信時刻を示し、「Ｍｅｓｓａｇｅ−ＩＤ」は電子メールＩＤを示し、「Ｉｎ−Ｒｅｐｌｙ−Ｔｏ」は返信した場合に返信元の電子メールＩＤが記憶される関連情報としての返信情報を示している。例えば、電子メールＭ４（電子メールＩＤ：Ｃ１）が選択電子情報の場合、「Ｉｎ−Ｒｅｐｌｙ−Ｔｏ」に記憶されている電子メールＩＤ：Ｂ１により返信元の電子メールＭ２が抽出され、電子メールＭ２の「Ｉｎ−Ｒｅｐｌｙ−Ｔｏ」に記憶されている電子メールＩＤ：Ａ１により返信元の電子メールＭ１が抽出される。次に、電子メールＭ４の電子メールＩＤ：Ｃ１を「Ｉｎ−Ｒｅｐｌｙ−Ｔｏ」に記憶する電子メールＭ５が抽出される。
【００５５】
図５は、本発明の一実施形態に係る３次元的時系列データ処理装置１０の関連度ＤＢ３１の例を示す図である。３次元的時系列データ処理装置１０は、例えば、図４において電子メールＭ１（電子メールＩＤ：Ａ１）が選択電子情報の場合、電子メールＤＢ６１から電子メールＭ２から電子メールＭ５が抽出される。例えば、関連度として、送信先の場合に０．２、Ｃｃによる送信先の場合に０．１、５分以内に返信された場合に０．６、３０分以内に返信された場合に０．５、６０分以内に返信された場合に０．４、６０分以上かかって返信された場合に０．３とすると、図５のような関連度が算出される。
【００５６】
図６は、本発明の一実施形態に係る３次元的時系列データ処理装置１０の処理内容を示すフローチャートである。３次元的時系列データ処理装置１０の制御部２０は、次のステップを実行する。
【００５７】
ステップＳ１０１において、制御部２０は、電子メールの選択を行う。具体的には、制御部２０は、キーボードやマウスから、一の電子メールを指定されて、指定された電子メールを選択する。
【００５８】
ステップＳ１０２において、制御部２０は、ステップＳ１０１で選択された電子メールに関連する電子メールを抽出する。具体的には、制御部２０は、電子メールの返信情報に基づいて、関連する電子メール（返信情報をたどって、返信メールの返信メールや、返信元メールの返信元メール）を全て抽出する。
【００５９】
ステップＳ１０３において、制御部２０は、ステップＳ１０２で抽出した電子メールの時間解析を行い、抽出した電子メールの返信時間に基づく関連度を算出する。
【００６０】
ステップＳ１０４において、制御部２０は、ステップＳ１０２で抽出した電子メールの送信元解析を行い、送信元ごとに電子メールを集めると共に、収集した電子メール同士の送信元と受信元との関係に基づく関連度を算出する。
【００６１】
ステップＳ１０５において、制御部２０は、ステップＳ１０２で抽出した電子メールのコンテンツ情報解析を行い、キーワードの抽出や、電子メール同士の送受信の関係を解析し、関連度を算出する。
【００６２】
ステップＳ１０６において、制御部２０は、ステップＳ１０２で抽出した電子メールについて、時間解析、送信元解析、コンテンツ情報解析に基づいて電子メールモデルを生成し、電子メールモデルＤＢ３４に記憶させる。
具体的には、制御部２０は、電子メールを送信元ごとに時系列に配置し、返信情報により電子メールをリンクさせたリンクツリーモデルを生成する。
【００６３】
ステップＳ１０７において、制御部２０は、３次元的時系列モデルを作成する。具体的には、制御部２０は、電子メールごとに３次元データ（送信元、関連度、送信時刻）を対応付け、描画ルールＤＢ３２に基づいて円筒座標空間における位置情報とする。
【００６４】
ステップＳ１０８において、制御部２０は、３次元的時系列データに基づいて描画を行う。具体的には、制御部２０は、選択電子メール及び抽出電子メールを円筒の表面に配置する。制御部２０は、配置された円筒の表面の位置に応じて、コンテンツ情報を示す表示の形態（例えば、円筒の表面の中心との近さに応じて表示を大きく、円筒の裏面の場合表示色の濃度を薄くする）を変えて表示する。さらに、キーボードやマウス等からの指示により円筒の軸を回転させ、指定された送信元のコンテンツ情報を、円筒の表面の中心に表示し、他のコンテンツ情報を円筒の表面に沿って移動させて配置する。
【００６５】
図７は、本発明の一実施形態に係る３次元的時系列データ処理装置１０の円筒座標へのコンテンツ情報の配置の例を示す図である。図７は、３次元的時系列データ処理装置１０が、所定の半径ｒ３０１の円筒座標（ｒ、θ、ｚ）の円筒の表面３１１に沿って、抽出電子メールのうち選択電子メールの送信元Ａと同一の送信元情報を有する電子メールのコンテンツ情報を、ｚ軸３０３の送信時刻順にθ３０２を０度として円筒の表面３１１の中心３１２に配置していることを示している。そして、図７は、３次元的時系列データ処理装置１０が、抽出電子メールのうち選択電子メールの送信元Ａと異なる送信元Ｂ，Ｃ，Ｄを有する電子メールのコンテンツ情報を、関連度の高さに応じて送信元Ｂ，Ｃ，Ｄごとにθ３０２を変えて、ｚ軸３０３の送信時刻順に、円筒の表面３１１に配置していることを示している。
【００６６】
さらに、３次元的時系列データ処理装置１０は、関連度に応じて、表示の形態を変える。例えば、３次元的時系列データ処理装置１０は、円筒の表面３１１の前面に配置した関連度の高い電子メールを大きくはっきりと表示し、円筒の表面３１１の前面の両脇から裏側へ回り込んで配置した電子メールを前面から離れるに従って薄く小さく表示する。また、３次元的時系列データ処理装置１０は、電子メールを示すマーク３２１を電子メールのヘッダ部に基づいて、送信元（Ｆｒｏｍ）だけでなく、送信時刻における受信元（Ｔｏ）及びＣｃによる受信元（Ｃｃ）に分けて表示する。さらに、３次元的時系列データ処理装置１０は、マーク３２１を結ぶ矢印線３１３を表示し、矢印線３１３の矢印先の電子メールが、矢印線３１３の矢印元の電子メールの返信メールであることを示す。
【００６７】
図８は、本発明の一実施形態に係る３次元的時系列データ処理装置１０の円筒座標へのコンテンツ情報の表示の例を示す図である。図８は、表示装置２０２２の表示領域をディスプレイ領域４０１と、ビューコントローラ領域４０２との表示領域に分けていることを示している。
３次元的時系列データ処理装置１０は、図８のディスプレイ領域４０１に、円筒座標で形成される円筒図形を表示し、円筒の表面３１１に、電子メールに対応するマーク３２１を配置し、配置した位置に対応する電子メールの内容を表示する。３次元的時系列データ処理装置１０は、ビューコントローラ領域４０２で指示入力された内容により、ディスプレイ領域４０１の表示を制御する。例えば、ビューコントローラ領域４０２のキーワードで「プロジェクト」、「グループ」が選択入力されると、ディスプレイ領域４０１での表示において、電子メール中の「プロジェクト」及び「グループ」を色表示により強調表示する。キーワードは、例えば、図６のステップＳ１０５でコンテンツ解析されて抽出されたキーワードである。電子メールの表示は、内容の特徴的重要部分だけが表示され、カスケード表示や重複表示がされる。このように、３次元的時系列データ処理装置１０は、より関連の深い情報を前面に強調表示し、情報の流れを追ったり、必要な情報を探しやすいように表示する。
【００６８】
図９は、本発明の一実施形態に係る３次元的時系列データ処理装置１０の円筒座標の表示の例を示す図である。図９（ａ）は、３次元的時系列データ処理装置１０が、例えば、マウスのドラッグによるビューコントローラ４１１への指示操作により、ｚ軸を回転させて、電子メールの関連のみを表示していることを示す図である。図９（ｂ）は、３次元的時系列データ処理装置１０が、例えば、マウスのドラッグによるビューコントローラ４１１への指示操作により、円筒座標で形成される円筒の傾きを変化させて表示していることを示す図である。このように、３次元的時系列データ処理装置１０は、円筒座標により形成される円筒の傾きや回転の変化に応じて、円筒の表面３１１に配置された電子メールの表示を移動させ、電子メールの関連を容易に把握できるように表示することができる。
【００６９】
図１０は、本発明の一実施形態に係る３次元的時系列データ処理装置１０のハードウェア構成を示す図である。以下は、コンピュータを典型とする情報処理装置として全般的な構成を説明するが、専用機や組み込み型装置の場合、その環境に応じて必要最小限な構成を選択できることはいうまでもない。
【００７０】
３次元的時系列データ処理装置１０は、ＣＰＵ（Ｃｅｎｔｒａｌ  Ｐｒｏｃｅｓｓｉｎｇ  Ｕｎｉｔ）２０１０、バスライン２００５、通信Ｉ／Ｆ２０４０、メインメモリ２０５０、ＢＩＯＳ（Ｂａｓｉｃ  Ｉｎｐｕｔ  Ｏｕｔｐｕｔ  Ｓｙｓｔｅｍ）２０６０、パラレルポート２０８０、ＵＳＢポート２０９０、グラフィック・コントローラ２０２０、ＶＲＡＭ２０２４、Ｉ／Ｏコントローラ２０７０、ならびにキーボード及びマウス・アダプタ２１００の入力部を備える。Ｉ／Ｏコントローラ２０７０には、フレキシブル・ディスク（ＦＤ）ドライブ２０７２、ハード・ディスク２０７４、光ディスク・ドライブ２０７６、半導体メモリ２０７８、等の記憶部を接続することができる。グラフィック・コントローラ２０２０には、表示装置２０２２が接続されている。ハード・ディスク２０７４には、関連度ＤＢ３１、描画ルールＤＢ３２及び３次元データＤＢ３３が構成される。
【００７１】
ＢＩＯＳ２０６０は、３次元的時系列データ処理装置１０の起動時にＣＰＵ２０１０が実行するブートプログラムや、３次元的時系列データ処理装置１０のハードウェアに依存するプログラム等を格納する。ＦＤドライブ２０７２は、フレキシブル・ディスク２０７１からプログラム又はデータを読み取り、Ｉ／Ｏコントローラ２０７０を介してメインメモリ２０５０又はハード・ディスク２０７４に提供する。
【００７２】
光ディスク・ドライブ２０７６としては、例えば、ＤＶＤ−ＲＯＭドライブ、ＣＤ−ＲＯＭドライブ、ＤＶＤ−ＲＡＭドライブ、ＣＤ−ＲＡＭドライブを使用することができる。この際は各ドライブに対応した光ディスク２０７７を使用する必要がある。光ディスク・ドライブ２０７６は光ディスク２０７７からプログラム又はデータを読み取り、Ｉ／Ｏコントローラ２０７０を介してメインメモリ２０５０又はハード・ディスク２０７４に提供することもできる。
【００７３】
３次元的時系列データ処理装置１０に提供されるコンピュータ・プログラムは、フレキシブル・ディスク２０７１、光ディスク２０７７、又はメモリカード等の記録媒体に格納されて利用者によって提供される。このコンピュータ・プログラムは、Ｉ／Ｏコントローラ２０７０を介して、記録媒体から読み出され、又は通信Ｉ／Ｆ２０４０を介してダウンロードされることによって、３次元的時系列データ処理装置１０にインストールされ実行される。コンピュータ・プログラムが情報処理装置に働きかけて行わせる動作は、既に説明した装置における動作と同一であるので省略する。
【００７４】
上述のコンピュータ・プログラムは、外部の記憶媒体に格納されてもよい。記憶媒体としてはフレキシブル・ディスク２０７１、光ディスク２０７７、又はメモリカードの他に、ＭＤ等の光磁気記録媒体、テープ媒体を用いることができる。また、専用通信回線やインターネットに接続されたサーバシステムに設けたハード・ディスク又は光ディスク・ライブラリ等の記憶装置を記録媒体として使用し、通信回線を介してコンピュータ・プログラムを３次元的時系列データ処理装置１０に提供してもよい。
【００７５】
図１１は、本発明の別の実施形態に係る３次元的時系列データ処理装置の例を示す図である。図１１（ａ）は、送信元用電子情報ＤＢ５２を備える３次元的時系列データ処理装置１１の例である。３次元的時系列データ処理装置１１は、インターネット７０を介して、電子情報サーバ５０から自己の送受信された電子情報をダウンロードした送信元用電子情報ＤＢ５２を備え、３次元的時系列データ処理装置１０と同様の効果を奏することができる。図１１（ｂ）は、制御部２０を備える３次元的時系列データ処理サーバ１２の例である。３次元的時系列データ処理サーバ１２は、ユーザ端末８０で表示できるように生成した３次元的時系列データをインターネット７０を介してユーザ端末８０に送信し、ユーザ端末８０に表示させるので、３次元的時系列データ処理装置１０と同様の効果を奏することができる。
【００７６】
本実施形態によれば、３次元的時系列データ処理システム１は、一の電子情報を選択し、選択した選択電子情報に関連する電子情報を電子情報ＤＢ５１から抽出し、選択電子情報の送信元と、抽出した抽出電子情報の送信元との関連度を算出し、選択電子情報と、抽出電子情報との関係を３次元で描画するための３次元的時系列データを、送信元と送信時刻と関連度とを軸とする仮想３次元空間における、抽出電子情報それぞれの位置情報として生成する。さらに、３次元的時系列データ処理システム１は、電子情報の関連についての３次元的時系列データを円筒座標に描画し、ビューアングルを変更しながら表示する。したがって、３次元的時系列データ処理システム１は、送受信された電子情報のうち関連のある電子情報について、その関連を容易に把握させるために表示し、関連するメールの視認性をさらに上げることができる。
【００７７】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００７８】
１      ３次元的時系列データ処理システム
１０    ３次元的時系列データ処理装置
２０    制御部
２１    選択部
２２    抽出部
２２１  関連先抽出部
２２２  関連元抽出部
２３    関連度算出部
２４    ３次元データ生成部
２５    ３次元描画部
２５１  円筒座標部
２５２  円筒配置部
２５３  円筒表示部
２５４  回転受付部
２５５  回転移動部
３１    関連度ＤＢ
３２    描画ルールＤＢ
３３    ３次元データＤＢ
５０    電子情報サーバ
５１    電子情報ＤＢ
【図１】
2013088812.tif 000003
【図２】
2013088812.tif 000004
【図３】
2013088812.tif 000005
【図４】
2013088812.tif 000006
【図５】
2013088812.tif 000007
【図６】
2013088812.tif 000008
【図７】
2013088812.tif 000009
【図８】
2013088812.tif 000010
【図９】
2013088812.tif 000011
【図１０】
2013088812.tif 000012
【図１１】
2013088812.tif 000013
【国際調査報告】
2013088812.tif 000014
2013088812.tif 000015
2013088812.tif 000016
2013088812.tif 000017